(57)【要約】      （修正有）【課題】吸入用ノズルと吸入用ノズルの外側に取り付けられたスライド式の撹拌吐出ノズルが一体型となった循環型タンク洗浄ノズルの提供。【解決手段】吸入口Ａ、吸入口Ａより吸入ノズルＢを通りフィルターを繋ぐ吸入ホースＣ、吸入ホースＣより流れる油を洗浄するフィルターＤ、洗浄された油を吸い上げ送り出すポンプＥ、ポンプＥと吐出ホルダーＧを繋ぐ吐出ホースＦ、スライド式の吐出ホルダーＧ、吐出ホルダーに取り付けられたオーリングＨ、及び空気圧により洗浄するためのエアー挿入弁Ｉ、吸入下口部に付け替え可能な吸入ホースＪ、循環洗浄中でもエアー撹拌可能な吐出ホルダーＧ内に設けられたエアーノズルＫである。【選択図】図１
0003123947.tif 000002
【実用新案登録請求の範囲】
【請求項１】
撹拌吸入ノズルと対流型吐出ホルダーで構成された一体型の循環型タンク洗浄用ノズル。
【請求項２】
タンク入口に固定される吐出ホルダーとタンクの形状に合わせて吸入ノズルがスライドすることを特徴とする請求項１記載の循環型タンク洗浄用吸出一体型ノズル。
【請求項３】
吐出ホルダーの下部において循環洗浄された液体を、口径を狭めた吐出口より各方向に吐出することによりタンク内の壁を洗浄、撹拌することを特徴とする請求項１及び請求項２記載の循環型タンク洗浄用吸出一体型ノズル。
【請求項４】
吐出ホルダーに設置された空気圧洗浄用ノズルから空気圧を送り込むことにより、タンク内の液体を撹拌しながら循環洗浄することを特徴とした請求項１〜請求項３記載の循環型タンク洗浄用吸出一体型ノズル。
【請求項５】
吸入ノズルを空気圧洗浄ノズルとして付け替えて使用することを特徴とした請求項１〜請求項４記載の循環型タンク洗浄用吸出一体型ノズル。
【請求項６】
吸入ノズルの下口部ノズル部分を耐油性ホースに切替える事を可能とした請求項１〜請求項５記載の循環型タンク洗浄用吸出一体型ノズル。
【考案の詳細な説明】
【技術の分野】
【０００１】  本発明は建機、重機、農耕機、大型車両、船舶等の燃料タンク及び作動油タンクに沈殿するスラッジ等の循環型洗浄に用いるタンク洗浄用の吸出一体型のノズルである。
【技術背景】
【０００２】  従来のタンク洗浄用のノズルは吸入用ホース（ノズル）と吐出用ホース（ノズル）を２本タンク内に挿入し循環型の洗浄を行っている。
【考案の開示】
【考案が解決しようとする課題】
【０００３】  しかし従来のノズルは吸入用ノズルと吐出用ノズルが別個であり、一つの入口に２本入れることになるため作業がしづらい。またホース等を使用するとホースの性質上曲がったり液体の圧で暴れたりするため正常な洗浄が行えない。
【問題を解決する手段】
【０００４】  本考案は上記事情を鑑みてなされたもので、吸入用ノズルと吸入用ノズルの外側に取り付けられたスライド式の撹拌吐出ノズルが一体型となった循環型タンク洗浄ノズルである。
【０００５】  燃料等のタンクの入口は大型のもので５０ミリ程であり従来の吸入ノズルと吐出ノズルを２本入口に挿入すると作業がしづらく、また吸入ノズル、吐出ノズル共に口径の太いノズルを挿入することができない。
【０００６】  本考案では吐出用ホルダーがタンクの入口の口径に合わせて挿入できるようになっており、中心の吸入ノズルがスライドするためタンクの大きさに合わせて底まで届く仕組みとなっている。また吸入ノズルと吐出ノズルの流量も多いため作業が円滑に進む。
【０００７】  吸入ノズルより吸い込まれた液体はフィルターを通りポンプの力により吐出用ホルダーへと戻ってくる。このポンプの圧力により吐出用ホルダーの下部の吐出口径を狭めた複数の口より噴射され、その噴射力によりタンクの壁を洗浄し、また撹拌する作用がある。
【０００８】  請求項４に記載さているように吐出ホルダー内部に設置された空気圧ノズル及び吸気圧ノズルに耐油性ホースを延長し空気圧をかけ撹拌することにより、循環洗浄中に於いてもよりタンク内の洗浄効果が得られる。
【０００９】  請求項５に記載されているとおり、吸入ノズルの上部に取り付けられた空気圧挿入口より空気の圧力をかけ、また吸入ノズルとポンプの間の弁を閉じることによりエアーが吸入口から噴射されタンク内を撹拌し洗浄することができる。またエアーで撹拌した後、吸入ノズルを循環洗浄に切替えることにより効果的なタンク洗浄を行うことができる。
【００１０】  請求項６に記載されているとおり、吸入用ノズルの下口部ノズルを耐油性ホースに切替えて使用することが可能であり、耐油性ホースに切替えることにより様々なタンクの形状にも応用して使用することが可能となる。
【実施例】
【００１１】  以下に本考案を図面にした実施例に基づいて説明する。【００１２】  図１は本考案に係る吸出一体型ノズルの全体図で、吸入口Ａ、吸入口Ａより吸入ノズルＢを通りフィルターを繋ぐ吸入ホースＣ、吸入ホースＣより流れる油を洗浄するフィルターＤ、洗浄された油を吸い上げ送り出すポンプＥ、ポンプＥと吐出ホルダーＧを繋ぐ吐出ホースＦ、スライド式の吐出ホルダーＧ、吐出ホルダーに取り付けられたオーリングＨ、及び空気圧により洗浄するためのエアー挿入弁Ｉ、吸入下口部に付け替え可能な吸入ホースＪ、循環洗浄中でもエアー撹拌可能な吐出ホルダーＧ内に設けられたエアーノズルＫである。【００１３】  まず循環洗浄に関して説明する。【００１４】  ポンプＥの力によって吸入口Ａから吸い込まれた油及びスラッジ等沈殿物は吸入ノズルＢを通り吸入ホースＣへと送られる。【００１５】  吸入ホースＣより流れ込んだ油はフィルターＤによりスラッジ及び沈殿物が濾されポンプＥにより送り出される。【００１６】  ポンプＤによって送り出された油は吐出ホースＦを通り吐出ホルダーＧへと押し出される。【００１７】  吐出ホルダーＧへ送り込まれた油は吐出ホルダーＧの下部に設けられた複数の穴より噴射される。【００１８】  この循環洗浄中に於いても吐出ホルダー内に取り付けられた吸気圧撹拌用のエアーノズルＫからエアーを送り込むことが出来よりタンク内の液体が撹拌され循環洗浄効率を良くする。【００１９】  また吸入ノズルを空気圧撹拌用に切替え使用した洗浄について説明する。【００２０】  吸入ノズルの上部に取り付けられたエアー挿入弁Ｉにエアーを接続し圧力をかける。この場合エアー圧が吸入ホースＣ及び吐出ホースＦにかかるためポンプＥの吸出口を閉める。【００２１】  ポンプＥの吸出口を閉めることにより吸入口から直接エアーが噴射されタンク内の液体及び沈殿物を撹拌することができる。【００２２】  また図４では吸入ノズル下部に付け替えられる吸入ホースＪは耐油性のホースを用いることでタンクの形状や凹凸に対応することができ、吸入、エアー圧による撹拌効果をより一層得ることができる。
【考案の効果】
【００２３】  本考案は以上説明したように、タンクを循環洗浄する場合に、吸出一体型のためタンク入口に簡単に設置することができ、作業も効率よく、吐出噴射効果によりタンク内の洗浄及び撹拌が可能となる。
【００２４】  またエアー圧による洗浄、撹拌に於いても併用することができ多くの重機、建機、農耕機等の燃料タンク、作動油タンク等のメンテナンスに於いて実用的である。
【図面の簡単な説明】
【００２５】
【図１】循環洗浄の全体図
【図２】循環型タンク洗浄用吸出一体型ノズルの平面図
【図３】循環型タンク洗浄用吸出一体型ノズルの断面図
【図４】吸入ホース取り付け時の平面図
【符号の説明】
【００２６】Ａ  吸入口
Ｂ  吸入ノズル
Ｃ  吸入ホース
Ｄ  フィルター
Ｅ  ポンプ
Ｆ  吐出ホース
Ｇ  吐出ホルダー
Ｈ  オーリング
Ｉ  エアー挿入弁
Ｊ  付け替え用吸入ホース
Ｋ  エアーノズル
【図１】
0003123947.tif 000003
【図２】
0003123947.tif 000004
【図３】
0003123947.tif 000005
【図４】
0003123947.tif 000006